(57)【要約】【課題】原本に対する複写と原本の複写物に対する複写とを区別して許可することができる画像処理装置を提供する。【解決手段】今回読み取られた原稿から埋め込み情報が抽出される（ステップＳ７０１）。そして、原稿から抽出された埋め込み情報に基づいて今回読み取られた原稿が原本であるのか原本の複写物であるのかの判別が行われる（ステップＳ７０３）。ここで、今回読み取られた原稿が原本である場合、マスターパスワードを用いた認証（ステップＳ７０４）の結果に応じて、コピー動作が許可または禁止される（ステップＳ７０７，Ｓ７０８）。これに対し、今回読み取られた原稿が原本の複写物であると判別された場合、一般パスワードを用いた認証（ステップＳ７０５）の結果に応じて、コピー動作が許可または禁止される（ステップＳ７０７，Ｓ７０８）。【選択図】図７
2008219767.tif 000002
【特許請求の範囲】
【請求項１】
原稿の画像を読み取る読み取り手段と、
前記読み取り手段によって読み取られた画像に含まれている特定の情報を抽出する抽出手段と、
前記抽出手段により抽出された情報に基づいて、前記原稿が原本であるか否かを判別する判別手段と、
前記原稿が原本であると判別された場合と前記原稿が原本でないと判別された場合とのそれぞれで異なる認証情報を用いて認証する認証手段と、
前記認証手段の認証結果に従って、前記読み取り手段によって読み取られた画像に基づく特定の処理を制限する制御手段と
を備えることを特徴とする画像処理装置。
【請求項２】
前記抽出手段は、原本の複写により失われる第１の情報と、原本の複写により失われることなく維持される第２の情報とをそれぞれ抽出することが可能であって、
前記判別手段は、前記抽出手段により前記第１の情報および前記第２の情報が抽出された場合、前記原稿が原本であると判別し、前記抽出手段により前記第１の情報が抽出されることなく前記第２の情報が抽出された場合、前記原稿が原本でないと判別することを特徴とする請求項１に記載の画像処理装置。
【請求項３】
前記認証手段は、前記原稿が原本であると判別された場合に、前記第１の情報を認証情報として用い、前記原稿が原本でないと判別された場合、前記第２の情報を認証情報として用いることを特徴とする請求項２に記載の画像処理装置。
【請求項４】
前記第２の情報は、パスワード及び原稿に対する前記特定の処理を許可するか否かを決定する認証サーバのアドレス情報のいずれかであることを特徴とする請求項２に記載の画像処理装置。
【請求項５】
前記抽出手段は、原本の複写により得られた複写物に地紋画像として浮き出る地紋情報を抽出することが可能であって、
前記判別手段は、前記抽出手段により前記地紋情報が抽出されなかった場合、前記原稿が原本であると判別し、前記抽出手段により前記地紋情報が抽出された場合、前記原稿が原本でないと判別することを特徴とする請求項１に記載の画像処理装置。
【請求項６】
前記抽出手段は、原本の複写物に付加された、原本の複写物であることを示す複写物情報を抽出することが可能であって、
前記判別手段は、前記抽出手段により前記複写物情報が抽出されなかった場合、前記原稿が原本であると判別し、前記抽出手段により前記複写物情報が抽出された場合、前記原稿が原本でないと判別することを特徴とする請求項１に記載の画像処理装置。
【請求項７】
前記第１の情報は、見かけ上ランダムに配置された複数の小ドットから構成されるドットパターンで埋め込まれ、前記第２の情報は、見かけ上ランダムに配置された複数の大ドットから構成されるドットパターンで埋め込まれることを特徴とする請求項２乃至４のいずれかに記載の画像処理装置。
【請求項８】
前記制御手段により前記読み取り手段によって読み取られた画像に基づく特定の処理が制限された場合に、エラーの発生を示すエラー発生情報を表示する表示手段を備えることを特徴とする請求項１乃至７のいずれかに記載の画像処理装置。
【請求項９】
画像を読み取る読み取り手段と、
前記読み取り手段によって読み取られた画像に含まれている第１の情報と前記第１の情報とは異なる第２の情報とを抽出する第１の抽出手段と、
前記第１の抽出手段により抽出された第１の情報を用いて認証を行う第１の認証手段と、
前記第１の認証手段の認証結果に従って、前記読み取り手段によって読み取られた画像に基づく特定の処理を制限する第１の制御手段と、
前記読み取り手段によって読み取られた画像に含まれている前記第２の情報を抽出する第２の抽出手段と、
前記第２の抽出手段により抽出された第２の情報を用いて認証を行う第２の認証手段と、
前記第２の認証手段の認証結果に従って、前記読み取り手段によって読み取られた画像に基づく前記特定の処理を制限する第２の制御手段と
を備えることを特徴とする画像処理装置。
【請求項１０】
画像処理装置の制御方法において、
原稿の画像を読み取る読み取り工程と、
前記読み取り工程で読み取られた画像に含まれている特定の情報を抽出する抽出工程と、
前記抽出工程で抽出された情報に基づいて、前記原稿が原本であるか否かを判別する判別工程と、
前記原稿が原本であると判別された場合と前記原稿が原本でないと判別された場合とのそれぞれで異なる認証情報を用いて認証する認証工程と、
前記認証工程での認証結果に従って、前記読み取り工程で読み取られた画像に基づく特定の処理を制限する制御工程と
を備えることを特徴とする画像処理装置の制御方法。
【請求項１１】
画像処理装置を制御するためのプログラムであって、
原稿の画像を読み取る読み取りステップと、
前記読み取りステップで読み取られた画像に含まれている特定の情報を抽出する抽出ステップと、
前記抽出ステップで抽出された情報に基づいて、前記原稿が原本であるか否かを判別する判別ステップと、
前記原稿が原本であると判別された場合と前記原稿が原本でないと判別された場合とのそれぞれで異なる認証情報を用いて認証する認証ステップと、
前記認証ステップでの認証結果に従って、前記読み取りステップで読み取られた画像に基づく特定の処理を制限する制御ステップと
をコンピュータにより実行させることを特徴とするプログラム。
【請求項１２】
請求項１０に記載のプログラムをコンピュータにより読み取り可能に格納したことを特徴とする記憶媒体。
【発明の詳細な説明】
【技術分野】
【０００１】
本発明は、画像処理装置、その制御方法、プログラムおよび記憶媒体に関する。
【背景技術】
【０００２】
原稿の複写を制限する方法がある（特許文献１参照）。この方法においては、原稿に予め埋め込まれている情報、例えば複写の禁止を解除するためのパスワードが抽出され、この抽出されたパスワードとユーザから入力されたパスワードとに基づいて、原稿の複写の禁止が解除される。
【特許文献１】特開２００４−２２８８９７号公報
【発明の開示】
【発明が解決しようとする課題】
【０００３】
上述した方法においては、複写の禁止を解除するためのパスワードが埋め込まれた原稿に対しては、そのパスワードが固定化されている。このため、原本のコピーと、原本の複写物のコピーとを区別可能である場合でも、それぞれのコピーを可能にするために必要なパスワードを変えることができない。その結果、原本のコピーと原本の複写物のコピーとで認証情報を変えてコピーを制限することは難しい。
【０００４】
本発明の目的は、原本である画像に対して特定の処理を制限する場合と原本でない画像に対して特定の処理を制限する場合とで認証の仕方を異ならせることができる画像処理装置、その制御方法、制御プログラムおよび記憶媒体を提供することにある。
【課題を解決するための手段】
【０００５】
本発明は、上記目的を達成するため、原稿の画像を読み取る読み取り手段と、前記読み取り手段によって読み取られた画像に含まれている特定の情報を抽出する抽出手段と、前記抽出手段により抽出された情報に基づいて、前記原稿が原本であるか否かを判別する判別手段と、前記原稿が原本であると判別された場合と前記原稿が原本でないと判別された場合とのそれぞれで異なる認証情報を用いて認証する認証手段と、前記認証手段の認証結果に従って、前記読み取り手段によって読み取られた画像に基づく特定の処理を制限する制御手段とを備えることを特徴とする画像処理装置を提供する。
【０００６】
本発明は、上記目的を達成するため、画像を読み取る読み取り手段と、前記読み取り手段によって読み取られた画像に含まれている第１の情報と前記第１の情報とは異なる第２の情報とを抽出する第１の抽出手段と、前記第１の抽出手段により抽出された第１の情報を用いて認証を行う第１の認証手段と、前記第１の認証手段の認証結果に従って、前記読み取り手段によって読み取られた画像に基づく特定の処理を制限する第１の制御手段と、前記読み取り手段によって読み取られた画像に含まれている前記第２の情報を抽出する第２の抽出手段と、前記第２の抽出手段により抽出された第２の情報を用いて認証を行う第２の認証手段と、前記第２の認証手段の認証結果に従って、前記読み取り手段によって読み取られた画像に基づく前記特定の処理を制限する第２の制御手段とを備えることを特徴とする画像処理装置を提供する。
【０００７】
本発明は、上記目的を達成するため、画像処理装置の制御方法において、原稿の画像を読み取る読み取り工程と、前記読み取り工程で読み取られた画像に含まれている特定の情報を抽出する抽出工程と、前記抽出工程で抽出された情報に基づいて、前記原稿が原本であるか否かを判別する判別工程と、前記原稿が原本であると判別された場合と前記原稿が原本でないと判別された場合とのそれぞれで異なる認証情報を用いて認証する認証工程と、前記認証工程での認証結果に従って、前記読み取り工程で読み取られた画像に基づく特定の処理を制限する制御工程とを備えることを特徴とする画像処理装置の制御方法を提供する。
【０００８】
本発明は、上記目的を達成するため、画像処理装置を制御するためのプログラムであって、原稿の画像を読み取る読み取りステップと、前記読み取りステップで読み取られた画像に含まれている特定の情報を抽出する抽出ステップと、前記抽出ステップで抽出された情報に基づいて、前記原稿が原本であるか否かを判別する判別ステップと、前記原稿が原本であると判別された場合と前記原稿が原本でないと判別された場合とのそれぞれで異なる認証情報を用いて認証する認証ステップと、前記認証ステップでの認証結果に従って、前記読み取りステップで読み取られた画像に基づく特定の処理を制限する制御ステップと
をコンピュータにより実行させることを特徴とするプログラムを提供する。
【０００９】
本発明は、上記目的を達成するため、上記制御プログラムをコンピュータにより読み取り可能に格納したことを特徴とする記憶媒体を提供する。
【発明の効果】
【００１０】
本発明によれば、原本である画像に対して特定の処理を制限する場合と原本でない画像に対して特定の処理を制限する場合とで認証の仕方を異ならせることができる。
【００１１】
例えば、原本の複写を許可するユーザと原本の複写物の複写を許可するユーザとを区別して管理することができ、それぞれの複写に対して異なるレベルのセキュリティを確保することができる。
【発明を実施するための最良の形態】
【００１２】
以下、本発明の実施の形態について図面を参照しながら説明する。
【００１３】
（第１の実施の形態）
図１は本発明の第１の実施の形態に係る画像処理装置が組み込まれているネットワークシステムの構成を示す図である。
【００１４】
図１に示すように、複数の画像処理装置３０４，３０５が、ＬＡＮ（Local Area Network）３０６に接続されている。また、このＬＡＮ３０６には、複数のクライアントＰＣ３０１，３０２およびサーバ３０３が接続されている。各画像処理装置３０４，３０５は、スキャナ機能、プリンタ機能、コピー機能などの複数の機能を有するとともに、ＬＡＮ３０６に接続されている各クライアントＰＣ３０１，３０２およびサーバ３０３と通信する機能を有する。
【００１５】
クライアントＰＣ３０１，３０２は、ユーザの操作に応じて印刷データを生成し、この印刷データを、ＬＡＮ３０６を介して、画像処理装置３０４，３０５に送信する。画像処理装置３０４，３０５は、クライアントＰＣ３０１，３０２から受信した印刷データを解釈して画像データに変換し、当該画像データに基づく画像を用紙上に印刷する。また、クライアントＰＣ３０１，３０２により生成された印刷データをサーバ３０３経由で画像処理装置３０４，３０５に送信して印刷を行うことも可能である。
【００１６】
次に、上記画像処理装置３０４，３０５の内部構成について図２を参照しながら説明する。図２は図１の画像処理装置３０４，３０５の内部構成を示すブロック図である。
【００１７】
各画像処理装置３０４，３０５は、図２に示すように、ＣＰＵ１０１と、ＣＰＵ１０１により実行されるプログラムを格納するＲＯＭ１０３と、ＣＰＵ１の作業領域などを提供するＲＡＭ１０２とを備える。ＣＰＵ１０１は、ＲＡＭ１０２を作業領域として、ＲＯＭ１０３に格納されているプログラムを実行することによって、装置全体の制御および個別処理を行う。
【００１８】
ＣＰＵ１０１は、システムバス１１４を介して、操作部Ｉ／Ｆ（インタフェース）１０４、メモリＩ／Ｆ１０５、デバイスＩ／Ｆ１０６、ネットワークインタフェースカード（ＮＩＣ）１０７のそれぞれと接続される。
【００１９】
操作部Ｉ／Ｆ１０４は、操作部１０８から入力された情報の受け付けおよび操作部１０８における情報表示などを制御する。操作部１０８は、キー群１０９と液晶パネルなどからなるディスプレイ１１０を含む。キー群１０９は、機能の選択、モードの設定、数値、パスワードの入力などを行うための複数のキーからなる。ディスプレイ１１０は、操作部Ｉ／Ｆ１０４から入力された画面情報（例えば各種の設定画面およびそれぞれの設定画面で設定された内容など）を表示する。
【００２０】
メモリＩ／Ｆ１０５は、画像データ、各ユーザに関するデータなどのデータを保存するためのメモリ１１１（例えばハードディスクハードディスク、ＵＳＢメモリ、メモリカード、ＲＡＭ）へのデータの書き込みおよび読み出しを制御する。
【００２１】
デバイスＩ／Ｆ１０６は、スキャナ１１２およびプリンタ１１３を制御する。スキャナ１１２は、原稿上の画像を読み取り、この画像の読み取りにより得られた画像データを出力する。プリンタ１１３は、画像データに基づいて画像を用紙上に形成するレーザプリンタからなる。また、プリンタ１１３として、インクジェット方式のプリンタなど、他の印刷方式のプリンタを用いることも可能である。
【００２２】
ネットワークインタフェースカード１０７は、ＬＡＮ３０６を介して接続されている各クライアントＰＣ３０１，３０２およびサーバ３０３との間で通信を行い、データを送受する。
【００２３】
次に、各画像処理装置３０４，３０５における原稿のコピーを行う際のコピー制限機能および設定されたコピー条件を示す情報が埋め込まれた印刷物の作成機能を実現するための機能構成について図３および図４を参照しながら説明する。図３は図１の画像処理装置３０４，３０５における原稿のコピーを行う際のコピー制限機能、および設定されたコピー条件を示す情報が埋め込まれた印刷物の作成機能を実現するための機能構成を示すブロック図である。図４は原稿に埋め込まれるマスターパスワードおよび一般パスワードの一例を示す図である。
【００２４】
ＣＰＵ１０１がＲＯＭ１０３に格納されているプログラムを実行することによって、埋め込み情報抽出部２０１、判別部２０２、認証部２０３、コピー動作制御部２０４、埋め込み情報生成部２０５および画像処理部２０６が構成される。
【００２５】
埋め込み情報抽出部２０１は、スキャナ１１２の読み取りにより得られた画像データを解析し、原稿から読み取られた画像に埋め込まれている埋め込み情報を抽出する。この埋め込み情報は、原稿のコピーを制限するために、当該原稿に設定されたコピー条件を示す情報である。ここで、コピー条件としては、後述するように、「コピーを許可する」、「コピーを禁止する」、「パスワードを用いた認証に基づいてコピーを許可する」の各条件があり、これらの条件は、クライアントＰＣ３０１，３０２において設定される条件である。
【００２６】
コピー条件として「コピーを許可する」が設定されている原稿の場合、当該原稿には、コピー条件に関する情報が埋め込まれない。すなわち、原稿に埋め込み情報がないことが、コピー許可を示す。これに代えて、原稿に、コピー許可を示す情報を埋め込むようにしてもよい。
【００２７】
また、コピー条件として「コピーを禁止する」が設定されている原稿の場合、当該原稿には、コピー禁止を示す埋め込み情報が埋め込まれている。
【００２８】
また、コピー条件として「パスワードを用いた認証に基づいてコピーを許可する」が設定されている原稿の場合、当該原稿に対するコピーが、パスワードを用いた認証に従って許可される。そのために、このような原稿には、コピーを可能にするための認証（またはコピーの禁止を解除するための認証）に用いられる第１および第２のパスワードの２つのパスワード（認証情報）が、コピー条件を示す埋め込み情報として埋め込まれている。第１のパスワード（以下、マスターパスワードという）は、原本のコピーを可能にするためのパスワードであり、第２のパスワード（以下、一般パスワードという）は、原本の複写物のコピーを可能にするためのパスワードである。
【００２９】
ここで、上記コピー条件として原稿に埋め込まれる情報は、見かけ上ランダムに配置された多数のドットから構成されるドットパターンにより表されるものである。このドットパターンは、非可視性が非常に高い低可視性バーコード（ＬＶＢＣ；Low Visibility Barcodes）を示すように作成される。埋め込み情報に対応するドットパターンは、原稿の画像の読み取りにより得られた画像データから抽出される。そして、抽出されたドットパターンの解析により原稿に埋め込まれている情報（コピー条件）が抽出されることになる。
【００３０】
上記マスターパスワード（第１の情報）は、当該マスターパスワードが埋め込まれている原本をコピーすると、コピー特性として消えるような小さなドットのドットパターンで表される。これに対し、一般パスワード（第２の情報）は、当該一般パスワードが埋め込まれている原本をコピーしても、消えずに維持されるような大きなドットのドットパターンで表される。
【００３１】
上記パスワードに関しては、例えば図４に示すように、マスターパスワード４０１として「ａａａ」が設定され、一般パスワード４０２として「ｘ３５ｙ７６ａａｓ」が設定されている。そして、これらのパスワードは、対応するユーザにそれぞれ通知される。すなわち、マスターパスワードは、原本のコピーが許可されているユーザに通知され、一般パスワードは、原本の複写物のコピーが許可されているユーザに通知される。
【００３２】
また、上記各パスワードとしては、原本毎に異なるものが用いられる。原本毎にパスワードを変える場合には、原本毎にパスワードを管理する必要があるが、これにより、さらに高いセキュリティを確保することができる。この場合、原本のコピーが許可されているユーザには、原本に付与されている文書ＩＤなどの識別情報とそれに対応するマスターパスワードが通知されることになる。また、原本の複写物のコピーが許可されているユーザには、原本の複写物に付与されている文書ＩＤとそれに対応付けられている一般パスワードが通知されることになる。
【００３３】
埋め込み情報抽出部２０１は、上記マスターパスワードと上記一般パスワードを区別して抽出する。例えば、抽出されたパスワードの文字数に応じて当該パスワードがマスターパスワードであるか一般パスワードであるかを判別するようにすることができる。この場合、マスターパスワードと一般パスワードのそれぞれの構成文字数の範囲がそれぞれ重複しないように設定されている。抽出されたパスワードが小さなドットのドットパターンから抽出されたものであるか大きなドットのドットパターンから抽出されたものであるかに応じて抽出されたパスワードがマスターパスワードであるか一般パスワードであるかを判別するようにしてもよい。
【００３４】
判別部２０２は、今回読み取られた原稿に対して設定されるコピー条件が、「コピーを許可する」、「コピーを禁止する」、または「パスワードを用いた認証に基づいてコピーを許可する」のいずれであるかを判別する。また、判別部２０２は、コピー条件が「パスワードを用いた認証に基づいてコピーを許可する」である場合に、今回読み取られた原稿が原本であるか原本の複写物であるかを判別する。
【００３５】
具体的には、上記抽出された埋め込み情報がコピー許可を示す情報である場合、今回読み取られた原稿（コピー対象の原稿）に対するコピー条件として、「コピーを許可する」が設定されていると判別される。また、原稿から埋め込み情報が抽出されない場合（原稿に埋め込み情報がない場合）、今回読み取られた原稿に対するコピー条件として、「コピーを許可する」が設定されていると判別される。
【００３６】
また、上記抽出された埋め込み情報がコピー禁止を示す情報である場合、今回読み取られた原稿に対するコピー条件として、「コピーを禁止する」が設定されていると判別される。
【００３７】
また、上記抽出された埋め込み情報が、マスターパスワードと一般パスワードの両方または一般パスワードのみを含む場合、今回読み取られた原稿に対して、「パスワードを用いた認証に基づいてコピーを許可する」が設定されていると判別される。そして、今回読み取られた原稿に対して、「パスワードを用いた認証に基づいてコピーを許可する」が設定されていると判別された場合、今回読み取られた原稿が原本であるかその複製物（または複写物）であるかが判別される。ここでは、上記抽出された埋め込み情報がマスターパスワードと一般パスワードの両方を含む場合、今回読み取られた原稿は、原本であると判別される。これに対し、マスターパスワードが抽出されずに一般パスワードのみが抽出された場合、今回読み取られた原稿は、原本の複写物であると判別される。
【００３８】
認証部２０３は、原稿が原本であると判別された場合、当該原稿のコピーを可能にするために、抽出されたマスターパスワード（第１の情報）を用いた認証を行う。これに対し、原稿が原本の複写物であると判別された場合、認証部２０３は、当該原稿のコピーを可能にするために、抽出された一般パスワード（第２の情報）を用いた認証を行う。
【００３９】
上記マスターパスワードまたは一般パスワードを用いた認証が行われる際には、パスワード入力画面が操作部１０８のディスプレイ１１０に表示される。そして、認証部２０３は、上記パスワード入力画面上でユーザにより入力されたパスワードと上記マスターパスワードまたは一般パスワードとが一致するか否かを判断する。
【００４０】
コピー動作制御部２０４は、上記判別部２０２の判別結果に基づいてコピー動作を許可または禁止する。具体的には、コピー動作制御部２０４は、判別部２０２により今回読み取られた原稿に対して「コピーを許可する」が設定されていると判別された場合、コピー動作を許可する。また、今回読み取られた原稿に対して「コピーを禁止する」が設定されていると判別された場合、コピー動作制御部２０４は、コピー動作を禁止する。また、「パスワードを用いた認証に基づいてコピーを許可する」が設定されていると判別された場合、コピー動作制御部２０４は、上記認証部２０３の認証結果を取り込み、この認証結果に基づいてコピー動作を許可または禁止する。
【００４１】
ここで、コピー動作が許可された場合、画像処理部２０６は、スキャナ１１２から入力された画像データに対して所定の画像処理を施し、当該画像処理後の画像データをプリンタ１１３に出力する。すなわち、コピーによる原稿の複写物が出力される。これに対し、コピー動作が禁止された場合、画像処理部２０６においてスキャナ１１２から入力された画像データに対する所定の画像処理が中止される。そして、この中止がエラー発生として見なされ、操作部１０８のディスプレイ１１０にエラー発生を示すエラー発生情報が表示される。このようにコピー動作が禁止された場合、コピー動作が中止され、コピーによる原稿の複写物が出力されないことになる。
【００４２】
埋め込み情報生成部２０５は、原本としての印刷物を作成する際に、クライアントＰＣ３０１，３０２で設定されたコピー条件を示す情報に対応するドットパターンを生成する。ここで、コピー条件として「パスワードを用いた認証に基づいてコピーを許可する」が設定されている場合、上述した、マスターパスワードを示す小ドットのドットパターンと、一般パスワードを示す大ドットのドットパターンが生成される。
【００４３】
この生成されたドットパターンは、画像処理部２０６に入力される。画像処理部２０６は、ＰＣ３０１，３０２から入力された印刷データをプリンタ１１３が解釈可能な画像データに変換し、この画像データと上記ドットパターンを合成する。このドットパターンが合成された画像データは、プリンタ１１３に出力される。これにより、プリンタ１１３は、コピー条件を示す情報に対応するドットパターンが埋め込まれた画像を用紙上に印刷し、当該用紙を印刷物（原本）として出力する。
【００４４】
このようにして、マスターパスワードと一般パスワードが埋め込まれている印刷物（原本）を作成すれば、当該印刷物またはその複写物に対するコピー許可および禁止を、認証により制御することが可能なる。
【００４５】
次に、今回読み取られた原稿に対して、「パスワードを用いた認証に基づいてコピーを許可する」が設定されている場合に操作部１０８のディスプレイ１１０に表示されるパスワード入力ダイアログについて図５を参照しながら説明する。図５は今回のコピー対象の原稿に対して、「パスワードを用いた認証に基づいてコピーを許可する」が設定されている場合に操作部１０８のディスプレイ１１０に表示されるパスワード入力ダイアログの一例を示す図である。
【００４６】
今回読み取られた原稿に対して、「パスワードを用いた認証に基づいてコピーを許可する」が設定されている場合、図５に示すように、操作部１０８のディスプレイ１１０に表示されている操作画面６０１上に、パスワード入力ダイアログが表示される。このパスワード入力ダイアログには、ユーザにより、操作部１０８のキー群１０９を用いて、パスワードが入力される。この入力されたパスワードが、原稿から抽出された埋め込み情報が示すパスワードと一致すれば、認証が成功したことになる。この場合、上記パスワード入力ダイアログは閉じられ、コピー動作が許可される。すなわち、原稿がコピーされ、その複写物が出力される。
【００４７】
これに対し、ユーザにより入力されたパスワードが、原稿から抽出された埋め込み情報が示すパスワードと一致しなければ、認証が失敗したことになる。この場合、コピー動作は禁止され、エラー発生を示すメッセージが操作部１０８に表示される。すなわち、原稿のコピーは禁止される。
【００４８】
次に、クライアントＰＣ３０１，３０２におけるコピー条件の設定について図６を参照しながら説明する。図６は図１のクライアントＰＣ３０１，３０２に組み込まれているプリンタドライバにより表示される印刷セキュリティ設定ダイアログの一例を示す図である。
【００４９】
クライアントＰＣ３０１，３０２においては、プリンタドライバにより、図６に示すような印刷セキュリティ設定ダイアログ５０１が表示される。この印刷セキュリティ設定ダイアログ５０１は、印刷物に対するコピー条件を設定するためのダイアログであり、ここでコピー条件を設定することによって、印刷物に対するセキュリティを確保することができる。
【００５０】
コピー条件として、上述したように、「コピーを許可する」、「コピーを禁止する」、「パスワードを用いた認証に基づいてコピーを許可する」の３つの条件があり、それぞれの条件のうちの１つを設定するためのラジオボタン５０２が設けられている。ユーザは、上記ラジオボタン５０２を操作することによって、上記３つの条件から１つの条件を選択して設定することが可能である。
【００５１】
ここで、「パスワードを用いた認証に基づいてコピーを許可する」が選択された場合、２つのパスワード入力フィールド５０３，５０４が入力可能な状態となる。パスワード入力フィールド５０３には、原本のコピーを可能にするためのマスターパスワードが、パスワード入力フィールド５０４には、原本の複写物のコピーを可能にするための一般パスワードがそれぞれ入力される。
【００５２】
上記コピー条件の１つが選択された状態で、ユーザによりＯＫボタン５０５が押下されると、選択されたコピー条件が設定される。また、設定されたコピー条件をキャンセルする際には、キャンセルボタン５０６が押下される。
【００５３】
このようにして設定されたコピー条件を示す情報及びパスワードは、印刷データとともに画像処理装置３０４，３０５に送信される。画像処理装置３０４，３０５は、上述したように、印刷データをプリンタ１１３が解釈可能な画像データに変換し、当該画像データと上記コピー条件を示す情報に対応するドットパターンとを合成する。必要に応じて、パスワードを示すドットパターンも画像データと合成する。そして、画像処理装置３０４，３０５は、当該ドットパターンを含む画像を用紙上に形成する。これにより、コピー条件を示す情報が埋め込まれている印刷物を得ることができる。
【００５４】
本実施の形態においては、コピー条件の設定をクライアントＰＣ３０１，３０２において設定する例を示したが、画像処理装置３０４，３０５がコピー条件を設定可能なように構成することも可能である。この場合、操作部１０８に上記印刷セキュリティ設定ダイアログと同様のダイアログを表示すればよい。
【００５５】
次に、画像処理装置３０４，３０５におけるコピー動作の制御について図７を参照しながら説明する。図７は図１の画像処理装置３０４，３０５におけるコピー動作の制御手順を示すフローチャートである。このフローチャートに示す手順は、スキャナ１１２により読み取られた原稿毎に、ＲＯＭ１０３に格納されているプログラムに従って、ＣＰＵ１０１により実行されるものである。
【００５６】
ユーザからコピー開始指示が入力されると、スキャナ１１２にセットされている原稿の画像の読み取りが開始される。この画像の読み取りにより得られた画像データは、スキャナ１１２からデバイスＩ／Ｆ１０６を介してＣＰＵ１０１に送られる。
【００５７】
ＣＰＵ１０１は、図７に示すように、スキャナ１１２から送られた画像データを解析し、読み取られた画像に埋め込まれている埋め込み情報を抽出する（ステップＳ７０１）。埋め込み情報が抽出された場合には、ＣＰＵ１０１は、抽出された埋め込み情報に基づいて、「コピーを許可する」、「コピーを禁止する」、「パスワードを用いた認証に基づいてコピーを許可する」のいずれが設定されているかを判別する（ステップＳ７０２）。ここで、上記埋め込み情報としてマスターパスワードと一般パスワードの両方、または一般パスワードのみが抽出される場合がある。このような場合、コピー条件として、「パスワードを用いた認証に基づいてコピーを許可する」が設定されていると判別される。また、埋め込み情報が抽出されなかった場合には、ＣＰＵ１０１は、「コピーを許可する」が設定されていると判別する。
【００５８】
ここで、今回読み取られた原稿に対して「コピーを許可する」が設定されている場合、ＣＰＵ１０１は、コピー動作を許可する（ステップＳ７０７）。これにより、画像処理部２０６によって、上記画像データは、所定の画像処理が施された後に、プリンタ１１３が解釈可能な画像データに変換される。そして、この画像データは、メモリ１１１に一旦蓄積された後に、プリンタ１１３に送出される。プリンタ１１３は、上記画像データに基づく画像を用紙上に形成し、この用紙すなわち原稿の複写物を出力する。
【００５９】
今回読み取られた原稿に対して「コピーを禁止する」が設定されている場合、ＣＰＵ１０１は、コピー動作を禁止するとともに、エラー発生情報を操作部１０８のディスプレイ１１０に表示する（ステップＳ７０８）。これにより、今回読み取られた原稿のコピーが中止され、その複写物は出力されないことになる。
【００６０】
今回読み取られた原稿に対して、「パスワードを用いた認証に基づいてコピーを許可する」が設定されている場合、ＣＰＵ１０１は、今回読み取られた原稿が原本であるのか原本の複写物であるのかを判別する（ステップＳ７０３）。ここでは、原稿の埋め込み情報としてマスターパスワードと一般パスワードの両方が抽出された場合、今回読み取られた原稿は原本であると判別される。これに対し、マスターパスワードが抽出されずに一般パスワードのみが抽出された場合、今回読み取られた原稿は原本の複写物であると判別される。
【００６１】
上記ステップＳ７０３において今回読み取られた原稿が原本であると判別された場合、ＣＰＵ１０１は、当該原稿のコピーを可能にするために、マスターパスワードを用いた認証を行う（ステップＳ７０４）。この認証においては、パスワード入力画面が操作部１０８のディスプレイ１１０に表示される。そして、上記パスワード入力画面上でユーザによりパスワードが入力されると、このユーザにより入力されたパスワードと上記抽出されたマスターパスワードが比較される。これらのパスワードが互いに一致すれば、認証が成功し、不一致であれば、認証が失敗したということになる。
【００６２】
次いで、ＣＰＵ１０１は、上記マスターパスワードを用いた認証が成功したか否かを判定し（ステップＳ７０６）、この認証が成功した場合、コピー動作を許可する（ステップＳ７０７）。これにより、今回読み取られた原稿の複写物（原本の複写物）が出力される。そして、ＣＰＵ１０１は、本処理を終了する。
【００６３】
これに対し、認証が失敗した場合、ＣＰＵ１０１は、コピー動作を禁止するとともに、エラー発生情報を操作部１０８のディスプレイ１１０に表示する（ステップＳ７０８）。これにより、今回読み取られた原稿のコピーが中止され、その複写物は出力されない。そして、ＣＰＵ１０１は、本処理を終了する。
【００６４】
このようにして、原本であると判別された原稿に対するコピーは、マスターパスワードを用いた認証を行うことにより許可され、この原本である原稿の複写物が得られることになる。この原稿のコピーにより、小ドットのドットパターンで表されるマスターパスワードは失われ、この複写物には、大ドットのドットパターンで表される一般パスワードのみが埋め込まれているものとなる。
【００６５】
上記ステップＳ７０３において今回読み取られた原稿が原本の複写物であると判別された場合、ＣＰＵ１０１は、当該原稿のコピーを可能にするために、一般パスワードを用いた認証を行う（ステップＳ７０５）。この認証を行うために、パスワード入力画面が操作部１０８のディスプレイ１１０に表示される。そして、上記パスワード入力画面上でユーザによりパスワードが入力されると、このユーザにより入力されたパスワードと上記抽出された一般パスワードとが比較される。これらのパスワードが互いに一致すれば、認証が成功し、不一致であれば、認証が失敗したということになる。
【００６６】
次いで、ＣＰＵ１０１は、上記一般パスワードを用いた認証が成功したか否かを判定し（ステップＳ７０６）、この認証が成功した場合、コピー動作を許可する（ステップＳ７０７）。これにより、今回読み取られた原稿の複写物（原本の複写物の複写物またはそれ以上の複写物）が出力される。そして、ＣＰＵ１０１は、本処理を終了する。
【００６７】
これに対し、上記認証が失敗した場合、ＣＰＵ１０１は、コピー動作を禁止するとともに、エラー発生情報を操作部１０８のディスプレイ１１０に表示する（ステップＳ７０８）。これにより、今回読み取られた原稿のコピーが中止され、その複写物は出力されないことになる。そして、ＣＰＵ１０１は、本処理を終了する。
【００６８】
このようにして、原本の複写物であると判別された原稿に対するコピーは、一般パスワードを用いた認証を行うことにより許可され、当該原稿の複写物（原本の複写物の複写物またはそれ以上の複写物）が得られる。
【００６９】
以上より、本実施の形態によれば、原本に対するコピーと原本の複写物に対するコピーとを区別して、コピーを許可することができる。また、原本のコピーを許可するユーザと原本の複写物のコピーを許可するユーザとを区別して管理することができ、それぞれの複写に対して所定レベルのセキュリティを確保することができる。
【００７０】
本実施の形態においては、原本または原本の複写物のコピーを許可するための条件として、マスターパスワードまたは一般パスワードが用いられ、これらのパスワードを用いて認証が行われる。これに代えて、ユーザＩＤまたはポリシーサーバのＵＲＬを用いて認証を行い、その認証結果に基づいてコピーを許可するようにしてもよい。
【００７１】
また、一般パスワードを用いた認証のみをポリシーサーバで認証させるようにしてもよい。
【００７２】
また、本実施の形態においては、コピーで小ドットが消えるという複写特性を利用して、読み取られた原稿が原本であるか原本の複写物であるかの判別が行われる。これに代えて、読み取られた原稿に地紋画像（地紋情報）が浮き出ているか否かに応じて、読み取られた原稿が原本であるか原本の複写物であるかの判別を行うようにしてもよい。
【００７３】
（第２の実施の形態）
次に、本発明の第２の実施の形態について図８を参照しながら説明する。図８は本発明の第２の実施の形態に係る画像処理装置におけるコピー動作の制御手順を示すフローチャートである。ここで、本実施の形態は、上記第１の実施の形態と同じ構成を有し、その構成についての説明は省略する。また、本実施の形態においては、上記第１の実施の形態と同一の符号を用いて説明を行うものとする。
【００７４】
本実施の形態は、上記第１の実施の形態に対して、原本または原本の複写物に対するコピーを許可する条件として、ポリシーサーバ（認証サーバ）のＵＲＬ情報（アドレス情報）と、コピー許可を示すコピー許可情報とを用いる点で異なる。
【００７５】
具体的には、原本には、ポリシーサーバのＵＲＬ情報と、コピー許可を示すコピー許可情報が埋め込まれている。ここで、ポリシーサーバのＵＲＬ情報は、コピー特性で消えないような大ドットのドットパターンで表される情報である。これに対し、上記コピー許可情報は、コピー特性として消えるような小ドットのドットパターンで表される情報である。
【００７６】
本実施の形態においては、原稿から、ポリシーサーバのＵＲＬ情報とコピー許可を示すコピー許可情報の両方が埋め込み情報として抽出された場合、「ポリシーサーバを用いた認証に基づいてコピーを許可する」が設定されていると判別される。また、ポリシーサーバのＵＲＬ情報のみが抽出された場合、同様に、「認証に基づいてコピーを許可する」が設定されていると判別される。
【００７７】
そして、「ポリシーサーバを用いた認証に基づいてコピーを許可する」が設定されていると判別された場合、当該原稿が原本であるか原本の複製物であるかが判別される。ここでは、ポリシーサーバのＵＲＬ情報とコピー許可を示すコピー許可情報の両方が抽出された場合、原稿が原本であると判別される。そして、原本であると判別された原稿に対しては、上記第１の実施の形態で行われたマスターパスワードを用いた認証を行うことなく、そのコピー動作が許可される。
【００７８】
これに対し、原稿から上記ポリシーサーバのＵＲＬ情報のみが抽出された場合、当該原稿が原本の複写物であると判別される。この場合、この原稿のコピーを可能にするために、画像処理装置３０４，３０５は上記ＵＲＬ情報を用いてポリシーサーバにアクセスし、コピー許可の問い合わせを行う。ポリシーサーバは、上記原稿のコピーを行うユーザの正当性を認証し、その認証結果を画像処理装置３０４，３０５に返す。そして、画像処理装置３０４，３０５は、ポリシーサーバから返された認証結果に基づいて原稿のコピーを許可または禁止する。
【００７９】
次に、本実施の形態の画像処理装置３０４，３０５におけるコピー動作の制御について図８を参照しながら説明する。図８のフローチャートに示す手順は、スキャナ１１２により読み取られた原稿毎に、ＣＰＵ１０１により実行されるものである。また、ここでは、図１に示すサーバ３０３がポリシーサーバとして機能するものとして説明する。
【００８０】
ＣＰＵ１０１は、図８に示すように、スキャナ１１２から送られた画像データを解析し、今回読み取られた画像に埋め込まれている埋め込み情報を抽出する（ステップＳ８０１）。埋め込み情報が抽出された場合は、ＣＰＵ１０１は、抽出された埋め込み情報に基づいて、「コピーを許可する」、「コピーを禁止する」、「ポリシーサーバを用いた認証に基づいてコピーを許可する」のいずれが設定されているかを判別する（ステップＳ８０２）。ここで、上記抽出された埋め込み情報としてポリシーサーバのＵＲＬ情報およびコピー許可情報の両方、または上記ＵＲＬ情報のみが抽出される場合がある。このような場合、コピー条件として、「ポリシーサーバを用いた認証に基づいてコピーを許可する」が設定されていると判別される。また、埋め込み情報が抽出されなかった場合には、ＣＰＵ１０１は、「コピーを許可する」が設定されていると判別する。
【００８１】
ここで、今回読み取られた原稿に対して「コピーを許可する」が設定されている場合、ＣＰＵ１０１は、コピー動作を許可する（ステップＳ８０４）。これに対し、今回読み取られた原稿に対して「コピーを禁止する」が設定されている場合、ＣＰＵ１０１は、コピー動作を禁止するとともに、エラー発生情報を操作部１０８のディスプレイ１１０に表示する（ステップＳ８１０）。これにより、今回読み取られた原稿に対するコピーが禁止されることになる。
【００８２】
今回読み取られた原稿に対して、「ポリシーサーバを用いた認証に基づいてコピーを許可する」が設定されている場合、ＣＰＵ１０１は、今回読み取られた原稿が原本であるか原本の複写物であるかを判別する（ステップＳ８０３）。ここでは、原稿の埋め込み情報としてポリシーサーバのＵＲＬ情報およびコピー許可情報が抽出された場合、今回読み取られた原稿は原本であると判別される。これに対し、コピー許可情報が抽出されずにポリシーサーバのＵＲＬ情報のみが抽出された場合、今回読み取られた原稿は原本の複写物であると判別される。
【００８３】
上記ステップＳ８０３において今回読み取られた原稿が原本であると判別された場合、ＣＰＵ１０１は、コピー動作を許可する（ステップＳ８０４）。これにより、今回読み取られた原稿の複写物（原本の複写物）が出力される。そして、ＣＰＵ１０１は、本処理を終了する。
【００８４】
このようにして、原本であると判別された原稿に対するコピーは、当該原稿に埋め込まれているコピー許可情報により許可され、原本である原稿の複写物が得られることになる。この原稿のコピーにより、小ドットのドットパターンで表されるコピー許可情報は失われ、この複写物では、大ドットのドットパターンで表されるポリシーさバーのＵＲＬ情報のみが埋め込まれているものとなる。
【００８５】
上記ステップＳ８０３において今回読み取られた原稿が原本の複写物であると判別された場合、ＣＰＵ１０１は、抽出されたＵＲＬ情報を用いてポリシーサーバ（サーバ３０３）にアクセスする。そして、ＣＰＵ１０１は上記原稿に対するコピーを許可しても良いかをポリシーサーバ（サーバ３０３）に問い合わせる（ステップＳ８０５）。ここでは、ユーザに付与されているパスワードやユーザＩＤなどのユーザ情報の入力画面が操作部１０８のディスプレイ１１０に表示される。そして、上記入力画面上でユーザにより入力されたユーザ情報を含む問い合わせがポリシーサーバに送信される。
【００８６】
上記問い合わせを受けたポリシーサーバ（サーバ３０３）は、この問い合わせに含まれるユーザ情報に基づいて上記原稿に対するコピーを許可するか禁止するかを決定し、コピー許可またはコピー禁止を示す情報を画像処理装置３０４，３０５へ返す。例えば、ポリシーサーバ（サーバ３０３）は、ユーザ情報によって特定されるユーザが上記原稿をコピーする権限を有しているか否かを判断する。
【００８７】
ＣＰＵ１０１は、上記ポリシーサーバから返された情報がコピー許可であるかコピー禁止であるかを判定する（ステップＳ８０６）。ここで、上記ポリシーサーバから返された情報がコピー許可の場合、ＣＰＵ１０１は、コピー動作を許可する（ステップＳ８０７）。次いで、ＣＰＵ１０１は、コピーを実施した画像処理装置を特定するデバイス情報（画像処理装置３０４または３０５を特定するデバイス情報）などを、ネットワークインタフェースカード１０７を介して、ポリシーサーバへ送信する（ステップＳ８０８）。そして、ＣＰＵ１０１は、本処理を終了する。
【００８８】
これに対し、上記ポリシーサーバから返された情報がコピー禁止の場合、ＣＰＵ１０１は、コピー動作を禁止し、エラー発生情報を操作部１０８のディスプレイ１１０に表示する（ステップＳ８０９）。これにより、今回読み取られた原稿に対するコピーが中止される。そして、ＣＰＵ１０１は、本処理を終了する。
【００８９】
（第３の実施の形態）
次に、本発明の第３の実施の形態について図９および図１０を参照しながら説明する。図９は本発明の第３の実施の形態に係る画像処理装置において原本のコピー時に、その複写物に付加されるコピー済み画像（複写物情報）の例を示す図である。図１０は本発明の第３の実施の形態におけるコピー動作の制御手順を示すフローチャートである。ここで、本実施の形態は、上記第１の実施の形態と同じ構成を有し、その構成についての説明は省略する。また、本実施の形態においては、上記第１の実施の形態と同一の符号を用いて説明を行うものとする。
【００９０】
本実施の形態は、上記第１の実施の形態と同様に、ドットパターンによりパスワードが埋め込まれている原稿をコピーする際には、このパスワードを抽出し、このパスワードを用いた認証に基づいてコピー動作の許可または禁止を行う。
【００９１】
但し、本実施の形態は、上記第１の実施の形態に対し、原本をコピーする場合、当該原本の複写物に対して、コピー済み画像を付加する点で異なる。また、本実施の形態は、上記第１の実施の形態に対し、上記コピー済み画像の有無により今回読み取られた原稿が原本であるかその複写物であるかの判別が行われる点で異なる。
【００９２】
具体的には、本実施の形態の画像処理装置３０４，３０５は、原本である原稿をコピーする場合、当該原稿の複写物１００２に対して、図９に示すようにコピー済み画像１００１を付加する。このコピー済み画像１００１は、可視画像であってもよいし、非可視性が高い画像であってもよい。このようにコピー済み画像１００１が付加されている複写物１００２をコピーする際には、当該複写物１００２の画像がスキャナ１１２により読み取られ、それに付加されているコピー済み画像１００１が認識される。これにより、複写物１００２が原本の複写物であると判別される。
【００９３】
次に、本実施の形態の画像処理装置３０４，３０５におけるコピー動作の制御について図１０を参照しながら説明する。図１０のフローチャートに示す手順は、スキャナ１１２により読み取られた原稿毎に、ＣＰＵ１０１により実行されるものである。
【００９４】
ユーザからコピー開始指示が入力されると、スキャナ１１２によりセットされている原稿の画像の読み取りが開始される。この画像の読み取りにより得られた画像データは、スキャナ１１２からデバイスＩ／Ｆ１０６を介してＣＰＵ１０１に送られる。
【００９５】
ＣＰＵ１０１は、図１０に示すように、スキャナ１１２から送られた画像データを解析し、今回読み取られた画像に埋め込まれている埋め込み情報を抽出する（ステップＳ１１０１）。そして、ＣＰＵ１０１は、抽出された埋め込み情報に基づいて、「コピーを許可する」、「コピーを禁止する」、「パスワードを用いた認証に基づいてコピーを許可する」のいずれが設定されているのかを判別する（ステップＳ１１０２）。ここで、上記埋め込み情報としてマスターパスワード、一般パスワードの両方、または一般パスワードのみが抽出される場合がある。このような場合、コピー条件として、「パスワードを用いた認証に基づいてコピーを許可する」が設定されていると判別される。
【００９６】
ここで、今回読み取られた原稿に対して「コピーを許可する」が設定されている場合、ＣＰＵ１０１は、コピー動作を許可する（ステップＳ１１１０）。これにより、画像処理部２０６によって、上記画像データは、所定の画像処理が施された後に、プリンタ１１３が解釈可能な画像データに変換される。そして、この画像データは、メモリ１１１に一旦蓄積された後に、プリンタ１１３に送出される。プリンタ１１３は、上記画像データに基づく画像を用紙上に形成し、この用紙すなわち原稿の複写物を出力する。
【００９７】
今回読み取られた原稿に対して「コピーを禁止する」が設定されている場合、ＣＰＵ１０１は、コピー動作を禁止するとともに、エラー発生情報を操作部１０８のディスプレイ１１０に表示する（ステップＳ１１１１）。これにより、今回読み取られた原稿のコピーが中止され、その複写物は出力されないことになる。
【００９８】
今回読み取られた原稿に対して、「パスワードを用いた認証に基づいてコピーを許可する」が設定されている場合、ＣＰＵ１０１は、今回読み取られた原稿が原本であるのか原本の複写物であるのかを判別する（ステップＳ１１０３）。ここでは、上述したコピー済み画像が存在するか否かに応じて今回読み取られた原稿が原本か、原本の複写物かの判別が行われる。ここで、コピー済み画像が存在する場合、今回読み取られた原稿は原本であると判別される。これに対し、コピー済み画像が存在しない場合、今回読み取られた原稿は原本の複写物であると判別される。
【００９９】
上記ステップＳ１１０３において今回読み取られた原稿が原本であると判別された場合、ＣＰＵ１０１は、当該原稿のコピーを可能にするために、マスターパスワードを用いた認証（第１の認証）を行う（ステップＳ１１０４）。この認証においては、パスワード入力画面が操作部１０８のディスプレイ１１０に表示される。そして、上記パスワード入力画面上でユーザにより入力されたパスワードと上記抽出されたマスターパスワードが比較され、これらのパスワードが互いに一致すれば、認証が成功し、不一致であれば、認証が失敗したということになる。
【０１００】
次いで、ＣＰＵ１０１は、上記マスターパスワードを用いた認証が成功したか否かを判定し（ステップＳ１１０５）、この認証が成功した場合、コピー動作を許可する（ステップＳ１１０６）。続いて、ＣＰＵ１０１は、今回読み取られた原稿の画像データに、コピー済み画像を示す画像データを付加する（ステップＳ１１０７）。これにより、コピー済み画像が付加された複写物（原本の複写物）が出力される。そして、ＣＰＵ１０１は、本処理を終了する。
【０１０１】
これに対し、認証が失敗した場合、ＣＰＵ１０１は、コピー動作を禁止するとともに、エラー発生情報を操作部１０８のディスプレイ１１０に表示する（ステップＳ７０８）。これにより、今回読み取られた原稿のコピーが中止され、その複写物は出力されない。そして、ＣＰＵ１０１は、本処理を終了する。
【０１０２】
このようにして、原本であると判別された原稿に対するコピーは、マスターパスワードを用いた認証を行うことにより許可され、この原本である原稿の複写物が得られることになる。この原稿のコピーにより、小ドットのドットパターンで表されるマスターパスワードは失われ、この複写物では、大ドットのドットパターンで表される一般パスワードのみが埋め込まれているものとなる。
【０１０３】
上記ステップＳ１１０３において今回読み取られた原稿が原本の複写物であると判別された場合、ＣＰＵ１０１は、当該原稿のコピーを可能にするために、一般パスワードによる認証を行う（ステップＳ１１０８）。この認証を行うために、パスワード入力画面が操作部１０８のディスプレイ１１０に表示される。そして、上記パスワード入力画面上でユーザにより入力されたパスワードと上記抽出された一般パスワードとが比較され、これらのパスワードが互いに一致すれば、認証が成功し、不一致であれば、認証が失敗したということになる。
【０１０４】
次いで、ＣＰＵ１０１は、上記一般パスワードを用いた認証が成功したか否かを判定し（ステップＳ１１０９）、この認証が成功した場合、コピー動作を許可する（ステップＳ１１１０）。これにより、今回読み取られた原稿の複写物（原本の複写物の複写物またはそれ以上の複写物）が出力される。そして、ＣＰＵ１０１は、本処理を終了する。
【０１０５】
これに対し、上記認証が失敗した場合、ＣＰＵ１０１は、コピー動作を禁止するとともに、エラー発生情報を操作部１０８のディスプレイ１１０に表示する（ステップＳ１１１１）。これにより、今回読み取られた原稿のコピーが中止され、その複写物は出力されないことになる。そして、ＣＰＵ１０１は、本処理を終了する。
【０１０６】
このようにして、原本の複写物であると判別された原稿に対するコピーは、一般パスワードを用いた認証を行うことにより許可され、当該原稿の複写物（原本の複写物の複写物またはそれ以上の複写物）が得られる。
【０１０７】
以上より、本実施の形態においては、読み取られた原稿が原本であるかその複写物であるかが、コピー済み画像の有無に応じて判別される。そして、原本であると判別された原稿に対するコピーは、マスターパスワードを用いた認証を行うことにより、原本の複写物であると判別された原稿に対するコピーは、一般パスワードを用いた認証を行うことにより、それぞれ許可されることになる。
【０１０８】
上述した第１〜３の実施の形態においては、読み取られた画像に基づく特定の処理としてコピーを例に挙げたが、特定の処理として、ファクシミリ送信や特定のデータフォーマットへの電子化が行われてもよい。例えば、図７のステップＳ７０７では、スキャナ１１２によって得られた画像データに基づいてファクシミリ送信を許可してもよい。または、スキャナ１１２によって得られた画像データを特定のデータフォーマットのファイルに変換することを許可してもよい。
【０１０９】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１１０】
この場合、記憶媒体から読み出されたプログラムコード自体が前述した実施の形態の機能を実現することになり、そのプログラムコード及び該プログラムコードを記憶した記憶媒体は本発明を構成することになる。
【０１１１】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１１２】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１１３】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１１４】
【図１】本発明の第１の実施の形態に係る画像処理装置が組み込まれているネットワークシステムの構成を示す図である。
【図２】図１の画像処理装置３０４，３０５の内部構成を示すブロック図である。
【図３】図１の画像処理装置３０４，３０５における原稿のコピーを行う際のコピー制限機能、および設定されたコピー条件を示す情報が埋め込まれた印刷物の作成機能を実現するための機能構成を示すブロック図である。
【図４】原稿に埋め込まれるマスターパスワードおよび一般パスワードの一例を示す図である。
【図５】今回のコピー対象の原稿に対して、パスワードを用いた認証によりコピーを許可する設定がされている場合に操作部１０８のディスプレイ１１０に表示されるパスワード入力ダイアログの一例を示す図である。
【図６】図１のクライアントＰＣ３０１，３０２に組み込まれているプリンタドライバにより表示される印刷セキュリティ設定ダイアログの一例を示す図である。
【図７】図１の画像処理装置３０４，３０５におけるコピー動作の制御手順を示すフローチャートである。
【図８】本発明の第２の実施の形態に係る画像処理装置におけるコピー動作の制御手順を示すフローチャートである。
【図９】本発明の第３の実施の形態に係る画像処理装置において原本のコピー時に、その複写物に付加されるコピー済み画像の例を示す図である。
【図１０】本発明の第３の実施の形態におけるコピー動作の制御手順を示すフローチャートである。
【符号の説明】
【０１１５】
１０１  ＣＰＵ
１０３  ＲＯＭ
１０８  操作部
１１２  スキャナ
１１３  プリンタ
２０１  埋め込み情報抽出部
２０２  判別部
２０３  認証部
２０４  コピー動作制御部
２０５  埋め込み情報生成部
２０６  画像処理部
３０１，３０２  クライアントＰＣ
３０４，３０５  画像処理装置
【図１】
2008219767.tif 000003
【図２】
2008219767.tif 000004
【図３】
2008219767.tif 000005
【図４】
2008219767.tif 000006
【図５】
2008219767.tif 000007
【図６】
2008219767.tif 000008
【図７】
2008219767.tif 000009
【図８】
2008219767.tif 000010
【図９】
2008219767.tif 000011
【図１０】
2008219767.tif 000012